(57)【特許請求の範囲】
【請求項１】
複数種類のアプリケーションの少なくとも１つを実行し、メインで使用される複数のボタンから構成されるメイン操作ボタン群が使用不可な使用不可状態にすることができる端末装置であって、
前記使用不可状態でも使用可能な起動手段と、
情報を記憶するための記憶手段と、
前記複数種類のアプリケーションのうち、実行するアプリケーションを切替えるための切替処理を行なうための切替手段と、
前記切替処理が行なわれる毎に、前記切替処理の直前に実行されていたアプリケーションの終了時の状態を再現するための第１の終了時情報を、前記複数種類のアプリケーション毎に、前記記憶手段に記憶させるための情報格納手段とを備え、
前記情報格納手段は、さらに、前記使用不可状態への操作が行なわれた場合にも、当該操作の直前に実行されていたアプリケーションの終了時の状態を再現するための第２の終了時情報を前記記憶手段に記憶させ、
前記端末装置が前記使用不可状態である場合、前記起動手段を使用した起動操作に応じて、前記記憶手段に記憶されている、前記端末装置が前記使用不可状態になる直前に実行されていたアプリケーション、および、当該直前に実行されていたアプリケーションに切替えられる直前のアプリケーションそれぞれに対応する前記第２の終了時情報および前記第１の終了時情報を読み出すための読出し手段と、
前記使用不可状態になる直前に実行されていたアプリケーション、および、当該直前に実行されていたアプリケーションに切替えられる直前のアプリケーションそれぞれを特定するための２種類の画像を生成するための生成手段と、
前記使用不可状態のままで、生成された前記２種類の画像を表示するための表示手段と、
表示された前記２種類の画像のうちのいずれかが選択された場合に、前記読出し手段に読み出された前記第１の終了時情報および前記第２の終了時情報のうち、選択された方の画像により特定されるアプリケーションの終了時情報に基づいて、前記切替処理または前記使用不可状態への操作の直前に実行されていたアプリケーションの終了時の状態を再現する再現手段とをさらに備える、端末装置。
【請求項２】
前記起動手段はボタンであり、
前記起動操作はユーザによる前記ボタンの操作である、請求項１に記載の端末装置。
【請求項３】
前記起動手段は音声を受付ける手段であり、
前記起動操作は前記起動手段に対しユーザが音声を発する操作である、請求項１に記載の端末装置。
【請求項４】
前記複数種類のアプリケーションのうちの１つのアプリケーションは、実行されることにより、ラジオ放送の音声を出力する処理を行なう、請求項１〜請求項３のいずれかに記載の端末装置。
【請求項５】
前記複数種類のアプリケーションのうちの１つのアプリケーションは、実行されることにより、音楽を再生する処理を行なう、請求項１〜請求項３のいずれかに記載の端末装置。
【請求項６】
前記複数種類のアプリケーションのうちの１つのアプリケーションは、実行されることにより、前記表示手段にテレビの画像を表示する処理を行なう、請求項１〜請求項３のいずれかに記載の端末装置。
【請求項７】
前記複数種類のアプリケーションのうちの１つのアプリケーションは、実行されることにより、電子メールに関する処理を行なう、請求項１〜請求項３のいずれかに記載の端末装置。
【請求項８】
前記複数種類のアプリケーションのうちの１つのアプリケーションは、実行されることにより、ＷＥＢページを前記表示手段に表示する処理を行なう、請求項１〜請求項３のいずれかに記載の端末装置。
【請求項９】
前記複数種類のアプリケーションのうちの１つのアプリケーションは、実行されることにより、動画像を前記表示手段に表示する処理を行なう、請求項１〜請求項３のいずれか
に記載の端末装置。
【発明の詳細な説明】
【技術分野】
【０００１】
本発明は、端末装置に関し、特に、メインで使用される操作ボタン群を使用不可な状態にできる端末装置に関する。
【背景技術】
【０００２】
近年、携帯電話が広く普及しているが、その形状は、ストレートタイプ、フリップタイプ、スライドタイプ、クラムシェルタイプ等に分類される。中でも、フリップタイプ、スライドタイプおよびクラムシェルタイプの携帯電話は、折りたたむ操作またはスライドさせる操作をするだけで、メインで使用される操作ボタン群（以下、メイン操作ボタン群ともいう）の誤動作を防ぐことができるため、ニーズが高くなっている。
【０００３】
特開２００４−０３２０２４号公報（特許文献１）には、クラムシェルタイプの携帯電話が開いた状態および閉じた状態においても、操作性を向上させる技術（以下、従来技術Ａともいう）が開示されている。
【特許文献１】特開２００４−０３２０２４号公報
【発明の開示】
【発明が解決しようとする課題】
【０００４】
近年では、携帯電話の多機能化も急速に進みつつある。多機能の例としては、デジタルスチルカメラの機能、音楽およびラジオ等の再生機能等が挙げられる。しかしながら、従来技術Ａでは、たとえば、クラムシェルタイプの携帯電話が閉じた状態の場合にラジオを聞くためには、まず、携帯電話を開き、メインディスプレイにメニューを表示させて、ラジオのプログラムを起動させ、携帯電話を閉じて、閉じた携帯電話をポケット等にいれる等、多くの操作が必要であった。
【０００５】
本発明は、上述の問題点を解決するためになされたものであって、その目的は、所望の処理を簡単な操作で素早く実行可能な端末装置を提供することである。
【課題を解決するための手段】
【０００６】
上述の課題を解決するために、この発明のある局面に従うと、複数種類のアプリケーションの少なくとも１つを実行し、メインで使用される複数のボタンから構成されるメイン操作ボタン群が使用不可な使用不可状態にすることができる端末装置は、使用不可状態でも使用可能な起動手段と、情報を記憶するための記憶手段と、複数種類のアプリケーションのうち、実行するアプリケーションを切替えるための切替処理を行なうための切替手段と、切替処理が行なわれる毎に、切替処理の直前に実行されていたアプリケーションの終了時の状態を再現するための終了時情報を、複数種類のアプリケーション毎に、記憶手段に記憶させるための情報格納手段と、端末装置が使用不可状態である場合、起動手段を使用した起動操作に応じて、記憶手段に記憶されている、端末装置が使用不可状態になる直前に実行されていたアプリケーションに対応する終了時情報を読み出すための読出し手段と、読出し手段に読み出された終了時情報に基づいて、切替処理の直前に実行されていたアプリケーションの終了時の状態を再現する再現手段とを備える。
【０００７】
好ましくは、起動手段はボタンであり、起動操作はユーザによるボタンの操作である。
好ましくは、起動手段は音声を受付ける手段であり、起動操作は起動手段に対しユーザが音声を発する操作である。
【０００８】
好ましくは、複数種類のアプリケーションのうちの１つのアプリケーションは、実行されることにより、ラジオ放送の音声を出力する処理を行なう。
【０００９】
好ましくは、複数種類のアプリケーションのうちの１つのアプリケーションは、実行されることにより、音楽を再生する処理を行なう。
【００１０】
好ましくは、画像を表示する表示手段をさらに備え、複数種類のアプリケーションのうちの１つのアプリケーションは、実行されることにより、表示手段にテレビの画像を表示する処理を行なう。
【００１１】
好ましくは、複数種類のアプリケーションのうちの１つのアプリケーションは、実行されることにより、電子メールに関する処理を行なう。
【００１２】
好ましくは、画像を表示する表示手段をさらに備え、複数種類のアプリケーションのうちの１つのアプリケーションは、実行されることにより、ＷＥＢページを表示手段に表示する処理を行なう。
【００１３】
好ましくは、画像を表示する表示手段をさらに備え、複数種類のアプリケーションのうちの１つのアプリケーションは、実行されることにより、動画像を表示手段に表示する処理を行なう。
【発明の効果】
【００１４】
本発明に係る端末装置は、複数種類のアプリケーションのうち、実行するアプリケーションを切替えるための切替処理が行なわれる毎に、切替処理の直前に実行されていたアプリケーションの終了時の状態を再現するための終了時情報を、複数種類のアプリケーション毎に、記憶手段に記憶させる。そして、起動手段を使用した起動操作に応じて、終了時情報に基づいて、切替処理の直前に実行されていたアプリケーションの終了時の状態を再現する。
【００１５】
したがって、所望の処理を簡単な操作で素早く実行できるという効果を奏する。
【発明を実施するための最良の形態】
【００１６】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１７】
本実施の形態の端末装置は、一例として、クラムシェルタイプの端末装置であるとする。なお、端末装置は、クラムシェルタイプに限定されることない。たとえば、フリップタイプ、スライドタイプ等、端末装置が閉じた状態では、前述したメイン操作ボタン群が使用不可となる端末装置であればよい。
【００１８】
また、端末装置は、一例として、携帯電話機であるとする。なお、本実施の形態では、端末装置は、携帯電話機に限定されることなく、たとえば、ＰＤＡ（Personal Digital Assistance）、電子辞書等であってもよい。
【００１９】
図１は、開いた状態の端末装置１０００を正面から示した図である。図１を参照して、端末装置１０００は、第１の筐体１００と、第２の筐体２００とから構成される。第１の筐体１００と、第２の筐体２００とは、連結部５０により折り畳み可能なように連結される。
【００２０】
図２は、閉じた状態の端末装置１０００の斜視図である。図２を参照して、図１の開いた状態の端末装置１０００を折りたたむと、図２のような状態になる。
【００２１】
再び、図１を参照して、第１の筐体１００は、メイン表示部１１０Ａと、スピーカ１５０とを備える。メイン表示部１１０Ａは、各種情報を、文字や画像等で表示する機能を有する。メイン表示部１１０Ａは、液晶ディスプレイ（ＬＣＤ（Liquid Crystal Display））、ＦＥＤ（Field Emission Display）、有機ＥＬディスプレイ（Organic Electro luminescence Display）、ドットマトリクス等その他の画像表示方式の表示機器のいずれであってもよい。
【００２２】
スピーカ１５０は、通話の時に使用されるスピーカである。
第２の筐体２００は、メイン操作ボタン群である機能ボタン群２３０と、メイン操作ボタン群である入力ボタン群２４０と、マイク２６０とを備える。
【００２３】
機能ボタン群２３０は、端末装置１０００の各種設定、機能切替等を行なうための複数のボタンを含む。機能ボタン群２３０は、機能ボタン２３１，２３２と、受話ボタン２３３と、ボタン２３４と、マルチガイドボタン２３５とを含む。
【００２４】
機能ボタン２３１は、ユーザによる短時間（たとえば、０．５秒未満）の押下操作（以下、短押操作ともいう）によりネットワーク関連等のプログラムを起動させるためのボタンである。また、機能ボタン２３１は、ユーザによる長時間（たとえば、１秒以上）の押下操作（以下、長押操作ともいう）によりデジタルカメラのプログラムを起動させるためのボタンである。
【００２５】
機能ボタン２３２は、短押操作により電子メールのプログラムを起動させるためのボタンである。
【００２６】
なお、詳細は後述するが、端末装置１０００は、音楽モードと、ラジオモードと、テレビモードと、通常モードとを有する。音楽モードは、端末装置１０００において音楽を聴取可能なモードである。ラジオモードは、端末装置１０００においてラジオを聴取可能なモードである。テレビモードは、端末装置１０００においてテレビを視聴可能なモードである。通常モードは、端末装置１０００が音楽モード、ラジオモードおよびテレビモードのいずれでもないときのモードである。
【００２７】
機能ボタン２３２は、端末装置１０００が通常モードである場合、長押操作毎に、端末装置１０００を、音楽モード、ラジオモード、テレビモード、通常モードの順に切替えるためのボタンである。なお、モードの切替わる順序は、上記の順に限定されることなく、任意の順序でもよい。
【００２８】
受話ボタン２３３は、端末装置１０００に電話がかかってきた場合、短押操作により通話開始を行なうためのボタンである。
【００２９】
ボタン２３４は、端末装置１０００が通話中である場合、短押操作により通話を保留状態にするためのボタンである。また、ボタン２３４は、長押操作により、端末装置１０００の電源のオンとオフとの切替えを行なうためのボタンである。
【００３０】
マルチガイドボタン２３５は、４方向ボタンと、決定ボタンとを含む。４方向ボタンは、短押操作により、メイン表示部１１０Ａに画像が表示されている場合、画像内の移動させる対象となる物（たとえば、カーソル等）を上下左右に移動させるためのボタンである。決定ボタンは、短押操作により、たとえば、４方向ボタンの短押操作により選択された項目等を決定するためのボタンである。
【００３１】
入力ボタン群２４０は、短押操作により、数字、文字および記号等を入力するための複数のボタンから構成される。
【００３２】
マイク２６０は、通話の時に使用されるマイクである。
再び、図２を参照して、第２の筐体２００は、サブ表示部１１０Ｂと、サブ操作ボタン群１３０と、サイドボタン１３２と、ＬＥＤ１４０と、スピーカ１５２と、記録媒体挿入部１８０とを備える。
【００３３】
サブ表示部１１０Ｂは、各種情報を、文字や画像等で表示する機能を有する。サブ表示部１１０Ｂは、メイン表示部１１０Ａと同様の表示機器であるので詳細な説明は繰り返さない。サブ表示部１１０Ｂの解像度は、メイン表示部１１０Ａの解像度よりも低い。なお、サブ表示部１１０Ｂの解像度は、メイン表示部１１０Ａの解像度以上であってもよい。
【００３４】
サブ操作ボタン群１３０は、ボタン１３０Ａ，１３０Ｂ，１３０Ｃ，１３０Ｄを含む。ボタン１３０Ａは、端末装置１０００が音楽モードであり、かつ、音楽データが再生中の場合、短押操作により、再生中の音楽データの先頭から再生を開始させるためのボタンである。また、ボタン１３０Ａは、短押操作により、サブ表示部１１０Ｂに画像が表示されている場合、画像内の移動させる対象となる物（たとえば、カーソル等）を左に移動させるためのボタンである。
【００３５】
ボタン１３０Ｂは、本発明の特徴となるボタンである。ボタン１３０Ｂは、端末装置１０００が、音楽モード、ラジオモード、テレビモード、通常モードおよび電源オフ状態のいずれであっても使用可能なボタンである。詳細は後述するが、ボタン１３０Ｂは、たとえば、端末装置１０００が音楽モードであり、かつ、音楽データが再生中の場合、短押操作により、音楽データの再生を一時停止させるためのボタンである。また、ボタン１３０Ｂは、たとえば、端末装置１０００が音楽モードであり、かつ、音楽データが再生されていない場合、短押操作により、音楽データの再生を開始させるためのボタンである。
【００３６】
ボタン１３０Ｃは、端末装置１０００が音楽モードであり、かつ、音楽データが再生中の場合、短押操作により、再生中の音楽データの次の音楽データの先頭から再生を開始させるためのボタンである。また、ボタン１３０Ｃは、短押操作により、サブ表示部１１０Ｂに画像が表示されている場合、画像内の移動させる対象となる物（たとえば、カーソル等）を右に移動させるためのボタンである。
【００３７】
ボタン１３０Ｄは、短押操作により、サブ表示部１１０Ｂに、たとえば、画像Ａが表示されている場合、サブ表示部１１０Ｂに、画像Ａが表示される前の画像（たとえば、画像Ｂ）を表示させるためのボタンである。
【００３８】
ＬＥＤ１４０は、端末装置１０００で行なわれる処理に応じて、光による報知を行なう。たとえば、ＬＥＤ１４０は、電話の着信があった場合、光を点滅させる。
【００３９】
スピーカ１５２は、端末装置１０００のモード対応した音声を出力する機能を有する。たとえば、端末装置１０００が音楽モードの場合、スピーカ１５２は、再生されている音楽データの音声を出力する。
【００４０】
サイドボタン１３２は、アップボタン１３２Ａと、ダウンボタン１３２Ｂとを含む。アップボタン１３２Ａは、短押操作により、端末装置１０００のモードに関わらず、端末装置１０００から出力される音声の音量を大きくするためのボタンである。また、アップボタン１３２Ａは、短押操作により、サブ表示部１１０Ｂに画像が表示されている場合、画像内の移動させる対象となる物（たとえば、カーソル等）を上に移動させるためのボタンである。
【００４１】
ダウンボタン１３２Ｂは、短押操作により、端末装置１０００のモードに関わらず、端末装置１０００から出力される音声の音量を小さくするためのボタンである。また、ダウンボタン１３２Ｂは、短押操作により、短押操作により、サブ表示部１１０Ｂに画像が表示されている場合、画像内の移動させる対象となる物（たとえば、カーソル等）を下に移動させるためのボタンである。
【００４２】
記録媒体挿入部１８０は、端末装置１０００に後述する記録媒体を挿入する部分である。
【００４３】
なお、端末装置１０００は、メイン表示部１１０Ａおよびサブ表示部１１０Ｂのいずれか一方のみを備える構成であってもよい。
【００４４】
図３は、閉じた状態の端末装置１０００の背面図である。図３を参照して、第２の筐体２００は、さらに、撮像部２７０と、発光部２７２とを備える。
【００４５】
撮像部２７０は、被写体を撮像する撮像処理を行なう。撮像部２７０は、撮像レンズと、受光部と、カラーフィルタ部とを含む。受光部は、入力された光を電気信号に変換する機能を有する。受光部は、複数の受光素子から構成される。受光素子は、たとえば、ＣＣＤ（Charge Coupled Device）イメージセンサまたはＣＭＯＳ（Complementary Metal Oxide Semiconductor）イメージセンサ等を使用した素子である。
【００４６】
カラーフィルタ部は、複数のカラーフィルタから構成される。カラーフィルタは、Ｒ、Ｇ、Ｂの各々に対応したフィルタである。複数のカラーフィルタは、複数の受光素子にそれぞれ対応して設けられる。
【００４７】
撮像処理では以下の処理が行なわれる。まず、撮像部２７０が、被写体に反射されて撮像レンズに入射した光を、カラーフィルタ部を介して、受光部に入力させる。受光部は入力された光を電気信号に変換する。そして、撮像部２７０は、変換した電気信号をデジタルデータ（以下、撮像画像データともいう）に変換する。
【００４８】
発光部２７２は、撮像部２７０が撮像するときに、必要に応じて、光を発する。
図４は、端末装置１０００の内部構成を示したブロック図である。図４を参照して、端末装置１０００は、さらに、通信部３１０と、チューナ３２０と、記憶部３３０と、一時記憶部３３２と、記録媒体アクセス部３３４と、記録媒体７０と、制御部３４０と、音声処理部３５０と、振動部３７０とを備える。
【００４９】
記憶部３３０には、制御部３４０に後述する処理を行なわせるためのプログラム７２、その他各種プログラムおよびデータ等が記憶されている。プログラム７２は、たとえば、制御プログラム、画像処理プログラム、音楽再生プログラム、ラジオプログラム、テレビプログラム、電子メールプログラム、ゲームプログラム、ＷＥＢブラウザプログラム、動画再生プログラム等である。
【００５０】
音楽再生プログラムは、端末装置１０００が音楽モードの場合に実行されるプログラムである。ラジオプログラムは、端末装置１０００がラジオモードの場合に実行されるプログラムである。テレビプログラムは、端末装置１０００がテレビモードの場合に実行されるプログラムである。電子メールプログラム、ゲームプログラム、ＷＥＢブラウザプログラムおよび動画再生プログラムの各々は、端末装置１０００が通常モードの場合に実行されるプログラムである。
【００５１】
以下においては、音楽再生プログラム、ラジオプログラム、テレビプログラム、電子メールプログラム、ゲームプログラム、ＷＥＢブラウザプログラム、動画再生プログラムを、アプリケーションプログラムともいう。なお、アプリケーションプログラムは、上記プログラムのみに限定されることはない。
【００５２】
記憶部３３０は、制御部３４０によりデータアクセスされる。記憶部３３０は、電源を供給されなくてもデータを不揮発的に保持可能な媒体（たとえば、フラッシュメモリ）である。
【００５３】
制御部３４０は、記憶部３３０に記憶されたプログラム７２に従って、端末装置１０００内の各部に対する各種処理や、演算処理等を行なう機能を有する。制御部３４０は、マイクロプロセッサ（Microprocessor）、ＦＰＧＡ（Field Programmable Gate Array）、ＡＳＩＣ（Application Specific Integrated Circuit）、その他の演算機能を有する回路のいずれであってもよい。
【００５４】
制御部３４０は、機能ボタン群２３０のうち、短押操作または長押操作があったボタンに対応するボタン信号を受信する。また、制御部３４０は、入力ボタン群２４０のうち、短押操作または長押操作があったボタンに対応するボタン信号を受信する。また、制御部３４０は、サブボタン群１３０のうち、短押操作または長押操作があったボタンに対応するボタン信号を受信する。制御部３４０は、短押操作または長押操作があったサイドボタン１３２のアップボタン１３２Ａおよびダウンボタン１３２Ｂのいずれかに対応する信号を受信する。制御部３４０は、受信したボタン信号に応じた処理を行なう。
【００５５】
通信部３１０は、無線通信により電波の送受信処理を行なう。電波は、無線通信用電波と、放送信号電波とに分類される。無線通信用電波は、音声データ、文字データおよび画像データ等を含む電波である。放送信号電波は、さらに、テレビジョン信号と、ラジオ信号とに分類される。なお、通信部３１０は、電波が放送信号電波の場合は、受信処理のみ行なう。
【００５６】
通信部３１０は、無線通信用電波により基地局と通信を行なう。通信部３１０は、無線通信用電波を受信した場合、当該無線通信用電波を復調し、復調した無線通信用電波に基づくデータを、制御部３４０へ送信する。また、通信部３１０は、無線通信用電波を送信する場合、制御部３４０からデータ（たとえば、音声データ）を受信し、当該データを、所定のプロトコルに基づいて、無線通信用電波に変換する。そして、通信部３１０は、変換した無線通信用電波を、送信先となる基地局へ送信する。
【００５７】
通信部３１０は、基地局と通信を行なうことで、基地局の位置を示す情報（以下、基地局位置情報ともいう）も取得可能である。通信部３１０は、制御部３４０からの制御指示に応じて、取得した基地局位置情報を、制御部３４０へ送信する。制御部３４０は、受信した基地局位置情報に基づいて、端末装置１０００の位置を大まかに把握することができる。
【００５８】
また、通信部３１０は、ＧＰＳ（Global Positioning System）機能を有する。ＧＰＳ（Global Positioning System）機能とは、人口衛星と通信して、端末装置１０００の位置（緯度、経度、高度等に基づく位置）の情報（以下、ＧＰＳ位置情報ともいう）を取得する機能である。通信部３１０は、制御部３４０からの制御指示に応じて、ＧＰＳ位置情報を取得し、制御部３４０へ送信する。
【００５９】
また、通信部３１０は、無線データ通信機能を有する。無線データ通信機能は、ブルートゥース（Bluetooth）を使用して、無線でデータ通信を行なう機能である。通信部３１０は、制御部３４０からの制御指示に応じて、他の端末と無線でデータ通信を行なう。なお、無線データ通信は、ブルートゥースに限定されることなく、他の通信方式を使用してもよい。
【００６０】
また、通信部３１０は、テレビジョン信号である放送信号電波を受信した場合、放送信号電波を、チューナ３２０へ送信する。チューナ３２０は、テレビジョン信号である放送信号電波を受信した場合、制御部３４０により指示された、チャンネルの信号をデジタルデータ（以下、テレビジョンデータともいう）に変換して、制御部３４０へ送信する。変換されたテレビジョンデータには、画像データと、音声データとが含まれる。
【００６１】
制御部３４０は、端末装置１０００がテレビモードである場合、テレビジョンデータを受信し、メイン表示部１１０Ａに、テレビジョンデータに基づく画像を表示させる。同時に、制御部３４０は、スピーカ１５２から、テレビジョンデータに基づく音声を出力させる。
【００６２】
また、通信部３１０は、ラジオ信号である放送信号電波を受信した場合、放送信号電波を、チューナ３２０へ送信する。チューナ３２０は、ラジオの信号である放送信号電波を受信した場合、制御部３４０により指示された、周波数のラジオ局の音声信号をデジタルデータ（以下、ラジオデータともいう）に変換して、制御部３４０へ送信する。変換されたラジオデータには、音声データが含まれる。なお、テレビジョンデータおよびラジオデータは、コンテンツデータである。
【００６３】
制御部３４０は、端末装置１０００がラジオモードである場合、ラジオデータを受信し、スピーカ１５２から、ラジオデータに基づく音声を出力させる。
【００６４】
なお、端末装置１０００は、ラジオ局のオートスキャンおよびテレビチャンネルのオートスキャンを行なう機能を有する。ラジオ局のオートスキャンは、基地局位置情報またはＧＰＳ位置情報に基づく位置において、制御部３４０が、受信可能な複数のラジオ局を自動で設定する処理である。
【００６５】
具体的には、制御部３４０が、所定の周波数ずつ変化させた周波数の情報をチューナ３２０へ、所定の時間（たとえば、２秒）間隔で、順次、送信する。チューナ３４０は、周波数の情報を受信する毎に、周波数の情報に基づいたラジオデータを制御部３４０へ送信する。制御部３４０は、順次受信するラジオデータに基づく音声のノイズのレベルが所定レベル以下であれば、対応するラジオデータの周波数を記憶部３３０に記憶させる。以上の処理が繰り返されることにより、複数のラジオ局の周波数の情報が自動で記憶（登録）される。
【００６６】
また、テレビチャンネルのオートスキャンは、基地局位置情報またはＧＰＳ位置情報に基づく位置において、制御部３４０が、受信可能な複数のテレビのチャンネルを自動で設定する処理である。複数のテレビのチャンネルを自動で設定する処理は、前述のラジオ局を自動で登録する処理と同様なので詳細な説明は繰り返さない。
【００６７】
一時記憶部３３２は、データを一時的に記憶する機能を有する。一時記憶部３３２は、画像処理部１００および制御部１２０によってデータアクセスされ、ワークメモリとして動作する。一時記憶部３３２は、ＲＡＭ（Random Access Memory）、ＳＲＡＭ（Static Random Access Memory）、ＤＲＡＭ（Dynamic Random Access Memory）、ＳＤＲＡＭ（Synchronous DRAM）、ＤＤＲ−ＳＤＲＡＭ（Double Data Rate SDRAM）、ＲＤＲＡＭ（Rambus Dynamic Random Access Memory）、Ｄｉｒｅｃｔ−ＲＤＲＡＭ（Direct Rambus Dynamic Random Access Memory）、その他、データを揮発的に記憶保持可能な構成を有する回路のいずれであってもよい。
【００６８】
記録媒体７０には、前述したプログラム７２、コンテンツデータ等が記録されている。コンテンツデータは、たとえば、音楽データ、動画像データ等である。記録媒体７０が、前述の記録媒体挿入部１８０から端末装置１０００に挿入（装着）されると、記録媒体アクセス部３３４は、記録媒体７０にデータアクセス可能となる。
【００６９】
記録媒体アクセス部３３４は、プログラム７２が記録された記録媒体７０から、制御部３４０の制御指示に応じて、プログラム７２を読出す機能を有する。記録媒体７０に記憶されているプログラム７２は、制御部３４０のインストール処理により、記録媒体アクセス部３３４で読み出され、記憶部３３０に記憶される。
【００７０】
このインストール処理用プログラムは、予め、記憶部３３０に格納されており、インストール処理は、制御部３４０が、インストール処理用プログラムに基づいて行なう。
【００７１】
なお、記憶部３３０には、プログラム７２が記憶されていなくてもよい。この場合、制御部３４０は、記録媒体アクセス部３３４を介して、記録媒体７０に記憶されたプログラム７２を読み出して、プログラム７２に基づいた所定の処理を行なう。
【００７２】
また、通信部３１０を利用して、基地局またはインターネットなどの外部のネットワークから、プログラムのダウンロード処理を行ない、記憶部３３０に格納することもできる。この場合、当該ダウンロードしたプログラムは、プログラム７２である。
【００７３】
制御部３４０は、基地局またはインターネットなどの外部のネットワークからダウンロードしたプログラム（プログラム７２）に従って、所定の処理を行なう。このダウンロード用プログラムは、予め、記憶部３３０に格納されており、ダウンロード処理は、制御部３４０が、ダウンロード用プログラムに基づいて行なう。
【００７４】
記録媒体７０は、端末装置１０００から着脱可能な媒体である。すなわち、記録媒体７０に記録されているプログラム７２は、媒体等に記録されてプログラム製品として流通される。また、記録媒体７０もプログラム製品として流通される。
【００７５】
記録媒体７０は、ＣＦ(Compact Flash) カード、ＳＭ（Smart Media（登録商標））、ＭＭＣ（Multi Media Card）、ＳＤ（Secure Digital）メモリーカード、メモリースティック（登録商標）、ｘＤピクチャーカードおよびＵＳＢメモリ、その他不揮発性メモリのいずれであってもよい。
【００７６】
このように、端末装置１０００から着脱可能な記録媒体を使用することにより、ユーザが設定したデータ、プログラム、その他各種データを、他の端末装置に移送することができる。
【００７７】
音声処理部３５０は、デジタルデータである音声データ（以下、デジタル音声データともいう）をアナログ信号に変換する処理および音声データを含むアナログ信号（以下、アナログ音声信号ともいう）をデジタル音声データに変換する処理等を行なう。
【００７８】
制御部３４０が、デジタル音声データを音声処理部３５０へ送信すると、音声処理部３５０は受信したデジタル音声データをアナログ音声信号に変換する。そして、音声処理部３５０は変換したアナログ音声信号を制御部３４０により指示されたスピーカから出力させる。
【００７９】
また、ユーザがマイク２６０に対して音声を発すると、当該音声に応じたアナログ音声信号が、音声処理部３５０へ送信される。音声処理部３５０は、マイク２６０から、アナログ音声信号を受信すると、受信したアナログ音声信号をデジタル音声データに変換して、制御部３４０へ送信する。
【００８０】
また、制御部３４０は、ユーザがマイク２６０に対して発した言葉からなる音声をボイスデータとして、記憶部３３０に登録する機能を有する。そして、ユーザが、記憶部３３０に登録されたボイスデータに基づく音声と同等な言葉からなる音声を、マイク２６０を使用して入力させることで、制御部３４０は、ボイスデータに対応した処理を行なう。記憶部３３０に登録されているボイスデータは、たとえば、「メール」という言葉からなる音声であるとする。この場合、制御部３４０は、「メール」という言葉からなる音声が、マイク２６０から入力されると、たとえば、電子メールのプログラムを起動させる。
【００８１】
メイン表示部１１０Ａは、制御部３４０から送信された画像データを受信すると、受信した画像データに基づく画像を表示する。サブ表示部１１０Ｂは、制御部３４０から送信された画像データを受信すると、受信した画像データに基づく画像を表示する。
【００８２】
ＬＥＤ１４０は、制御部３４０からの制御指示に基づいて、光を発する。
撮像部２７０は、制御部３４０からの制御指示に基づいて、前述の撮像処理を行い、撮像画像データを制御部３４０へ送信する。制御部３４０は、撮像画像データを受信すると、撮像画像データを、記憶部３３０または記録媒体７０に記憶させる。
【００８３】
振動部３７０は、制御部３４０からの制御指示に基づいて、端末装置１０００を振動させる機能を有する。振動部３７０は、たとえば、電話の着信、電子メールの受信時に、制御部３４０からの制御指示に基づいて、端末装置１０００を振動させる。
【００８４】
次に、制御部３４０が、前述のアプリケーションプログラムに基づいて行なう処理（以下、アプリケーション処理ともいう）の具体的な処理内容について説明する。
【００８５】
アプリケーション処理に基づく画像は、端末装置１０００が図１の状態の場合、メイン表示部１１０Ａに表示される。アプリケーション処理に基づく画像は、端末装置１０００が図２の状態の場合、サブ表示部１１０Ｂに表示される。
【００８６】
アプリケーションプログラムが、音楽再生プログラムの場合、アプリケーション処理では、たとえば、ユーザのボタン操作に応じて、音楽データの再生処理および停止処理、音楽データのリスト表示処理等が行なわれる。
【００８７】
アプリケーションプログラムが、ラジオプログラムの場合、アプリケーション処理では、たとえば、ユーザのボタン操作に応じて、選局されたラジオ局の音声がスピーカ１５２から出力される。
【００８８】
アプリケーションプログラムが、テレビプログラムの場合、アプリケーション処理では、たとえば、ユーザのボタン操作に応じて、選局されたチャンネルの画像が、メイン表示部１１０Ａに表示される。また、同時に、選局されたチャンネルの音声がスピーカ１５２から出力される。
【００８９】
アプリケーションプログラムが、電子メールプログラムの場合、アプリケーション処理では、たとえば、ユーザのボタン操作に応じて、電子メールの受信処理、電子メールの作成処理、電子メールの送信処理、電子メールの閲覧処理等が行なわれる。
【００９０】
アプリケーションプログラムが、ゲームプログラムの場合、アプリケーション処理では、たとえば、ユーザのボタン操作に応じて、ゲームが実行される。アプリケーションプログラムが、ＷＥＢブラウザプログラムの場合、アプリケーション処理では、たとえば、ユーザのボタン操作に応じて、ＷＥＢサイトにアクセスし、ＷＥＢページがメイン表示部１１０Ａに表示される。
【００９１】
アプリケーションプログラムが、動画再生プログラムの場合、アプリケーション処理では、たとえば、ユーザのボタン操作に応じて、動画像（たとえば、ＭＰＥＧ２形式の動画像）ファイルに基づく動画が、表示部１１０Ａに表示される。
【００９２】
次に、アプリケーション処理が行なわれている最中にアプリケーション処理を終了するための処理（以下、アプリケーション終了処理ともいう）について説明する。アプリケーション終了処理は、アプリケーション処理とは独立に並列して行なわれる。
【００９３】
図５は、アプリケーション終了処理のフローチャートを示す。図５を参照して、ステップＳ１１０では、電源オフ操作があるか否かが判定される。具体的には、制御部３４０が、ボタン２３４の長押操作があったか否かを判定する。すなわち、端末装置１０００の電源をオフにする操作がユーザにより行なわれたか否かが判定される。ステップＳ１１０において、ＹＥＳならば、後述するステップＳ１２３に進む。一方、ステップＳ１１０において、ＮＯならば、ステップＳ１１２に進む。
【００９４】
ステップＳ１１２では、モードの切替え操作があったか否かが判定される。具体的には、制御部３４０が、機能ボタン２３２の長押操作があったか否かを判定する。ステップＳ１１２おいて、ＹＥＳならば、ステップＳ１１２Ａに進む。一方、ステップＳ１１２において、ＮＯならば、後述するステップＳ１１３に進む。
【００９５】
ステップＳ１１２Ａでは、モード変更処理が行なわれる。モード変更処理では、制御部３４０が、端末装置１０００のモードの変更を行なう。端末装置１０００が、たとえば、音楽モードである場合、端末装置１０００をラジオモードに変更する。モードの変更の伴い、アプリケーション終了処理とは独立に並列して実行中のアプリケーション処理は終了する。その後、モードの切替え操作により変更されたモードに対応する他のアプリケーションプログラムにより、アプリケーション処理が、アプリケーション終了処理とは独立に並列して開始される。
【００９６】
ステップＳ１１２Ｂでは、終了時情報記憶処理Ａが行なわれる。終了時情報記憶処理Ａは、終了したアプリケーション処理の終了時の状態を再現するための情報（以下、終了時情報ともいう）を記憶する処理である。具体的には、制御部３４０が、終了時情報を記憶部３３０に記憶させる。また、制御部３４０は、終了時情報を記憶させた記憶部３３０の番地の情報（以下、番地特定情報ともいう）を、記憶部３３０に記憶させる。なお、記憶部３３０に既に、番地特定情報が記憶されている場合、最新の番地特定情報を、既に記憶されている番地特定情報に上書き記憶させる。したがって、記憶部３３０には、常に、最新の番地特定情報を記憶することになる。
【００９７】
終了したアプリケーション処理に対応するアプリケーションプログラムが、たとえば、音楽再生プログラムであり、音楽データが再生中であった場合、終了時情報は、モード（音楽モード）の情報と、音楽再生モード情報と、音楽データ特定情報と、再生中の音楽データの再生時間情報とを含む。音楽再生モード情報は、音楽データの再生モード（たとえば、ランダム再生モード等）の情報である。音楽データ特定情報は、再生中の音楽データを特定する情報である。再生時間情報は、音楽データのどの箇所（たとえば、先頭から２分３４秒の箇所）を再生中であることを示す情報である。
【００９８】
図６は、複数の終了時情報から構成される終了時情報データテーブルＴ１００を示す図である。図６を参照して、終了時情報は、プログラム毎に、記憶部３３３０内の予め設定された番地に記憶される。音楽再生プログラムの終了時情報は、たとえば、１００番地に記憶される。ラジオプログラムの終了時情報は、たとえば、１１０番地に記憶される。テレビプログラムの終了時情報は、たとえば、１２０番地に記憶される。電子メールプログラムの終了時情報は、たとえば、１３０番地に記憶される。ゲームプログラムの終了時情報は、たとえば、１４０番地に記憶される。ＷＥＢブラウザプログラムの終了時情報は、たとえば、１５０番地に記憶される。動画再生プログラムの終了時情報は、たとえば、１６０番地に記憶される。
【００９９】
ラジオプログラムの終了時情報は、モード（ラジオモード）の情報と、たとえば、ラジオ局の周波数情報とを含む。テレビプログラムの終了時情報は、モード（テレビモード）の情報と、たとえば、視聴していたチャンネル情報とを含む。電子メールプログラムの終了時情報は、モード（通常モード）の情報と、たとえば、電子メール特定情報とを含む。電子メール特定情報は、閲覧中の電子メールを特定する情報である。ゲームプログラムの終了時情報は、モード（通常モード）の情報と、たとえば、ゲーム中断情報である。ゲーム中断情報は、ゲームが中断されたときの各種情報を含む。
【０１００】
ＷＥＢブラウザプログラムの終了時情報は、モード（通常モード）の情報と、たとえば、ＷＥＢページ情報である。ＷＥＢページ情報は、表示部１１０Ａに表示されていたＷＥＢページのアドレス等の情報を含む。動画再生プログラムの終了時情報は、モード（通常モード）の情報と、たとえば、動画像データ特定情報と、再生中の動画像データの再生時間情報とを含む。動画像データ特定情報は、再生中の動画像データを特定する情報である。再生時間情報は、動画像データのどの箇所（たとえば、先頭から２分３４秒の箇所）を再生中であることを示す情報である。
【０１０１】
再び、図５を参照して、ステップＳ１１２Ｂの処理が終了すると、再度、ステップＳ１１０の処理が行なわれる。
【０１０２】
前述のステップＳ１１２において、ＮＯならば、ステップＳ１１３に進む。
ステップＳ１１３では、制御部３４０が、待機状態操作があったか否かを判定する。待機状態操作とは、電源がオンの端末装置１０００を図２の状態にする操作である。電源がオンの端末装置１０００は、図２の状態になると待機状態になる。なお、端末装置１０００が待機状態になると、アプリケーション終了処理とは独立に並列して実行中のアプリケーション処理は終了する。ステップＳ１１３において、ＹＥＳならば、ステップＳ１１４に進む。一方、ステップＳ１１３において、ＮＯならば、再度，ステップＳ１１０の処理が行なわれる。
【０１０３】
ステップＳ１１４では、終了時情報記憶処理Ｂが行なわれる。終了時情報記憶処理Ｂは、終了したアプリケーション処理の終了時情報を記憶する処理である。終了時情報記憶処理Ｂの詳細は、前述のステップＳ１１２Ｂの終了時情報記憶処理Ａと同様なので詳細な説明は繰り返さない。その後、再度、ステップＳ１１０の処理が行なわれる。
【０１０４】
前述のステップＳ１１０において、ＹＥＳならば、ステップＳ１２３に進む。
ステップＳ１２３では、制御部３４０が、アプリケーション終了処理とは独立に並列して実行中のアプリケーション処理を終了させる。その後、ステップＳ１２４に進む。
【０１０５】
ステップＳ１２４では、終了時情報記憶処理Ｃが行なわれる。終了時情報記憶処理Ｃは、ステップＳ１１２Ｂの終了時情報記憶処理Ａと同様なので詳細な説明は繰り返さない。その後、ステップＳ１２６に進む。
【０１０６】
ステップＳ１２６では、制御部３３０が、端末装置１０００の電源をオフにする。そして、このアプリケーション終了処理は終了する。
【０１０７】
次に、本発明の特徴であるボタン１３０Ｂを操作することにより行なわれる処理について説明する。端末装置１０００が前述の待機状態の場合、サブ表示部１１０Ｂには、待機画像が表示される。
【０１０８】
図７は、サブ表示部１１０Ｂに表示される画像を示す図である。図７を参照して、端末装置１０００が待機状態の場合、サブ表示部１１０Ｂに表示される待機画像は、たとえば、待機画像Ｇ１００である。
【０１０９】
サブ表示部１１０Ｂに待機画像Ｇ１００が表示されているときに、ボタン１３０Ｂが短押操作されると、サブ表示部１１０Ｂに、終了時情報選択画像Ｇ１１０が表示される。終了時情報選択画像Ｇ１１０は、一例として、「ＬＡＳＴ  ＰＬＡＹＥＤ」の文字列と、「ラジオ」の文字列とが表示される。
【０１１０】
「ＬＡＳＴ  ＰＬＡＹＥＤ」の文字列は、以下の選択決定操作Ａがあった場合、音楽再生プログラムに基づいて行なわれるアプリケーション処理の終了時に再生されていた音楽データに基づく情報を表示した画像（以下、音楽情報画像ともいう）を表示するための文字列である。「ラジオ」の文字列は、以下の選択決定操作Ｂがあった場合、ラジオプログラムに基づいて行なわれるアプリケーション処理の終了時に再生されていたラジオ局の周波数情報を表示した画像（以下、ラジオ情報画像ともいう）を表示するための文字列である。
【０１１１】
選択決定操作Ａは、サイドボタン１３２の操作により、「ＬＡＳＴ  ＰＬＡＹＥＤ」の文字列が選択された状態で、ボタン１３０Ｂの短押操作が行なわれる操作である。選択決定操作Ｂは、サイドボタン１３２の操作により、「ラジオ」の文字列が選択された状態で、ボタン１３０Ｂの短押操作が行なわれる操作である。
【０１１２】
サブ表示部１１０Ｂに終了時情報選択画像Ｇ１１０が表示されているときに、上記選択決定操作Ａがあると、サブ表示部１１０Ｂに音楽情報画像Ｇ１１２が表示される。
【０１１３】
音楽情報画像Ｇ１１２には、たとえば、音楽データに基づく曲名、アーティスト名、前述の再生時間情報に基づく音楽データの再生箇所の時間が表示される。音楽情報画像Ｇ１１２では、曲名、アーティスト名および時間は、一例として、それぞれ、「宇宙」、「ＪＯＨＮ」および「０：０２：３４」となっている。
【０１１４】
サブ表示部１１０Ｂに終了時情報選択画像Ｇ１１０が表示されているときに、ダウンボタン１３２Ｂの短押操作があると、サブ表示部１１０Ｂに終了時情報選択画像Ｇ１１０Ａが表示される。
【０１１５】
サブ表示部１１０Ｂに終了時情報選択画像Ｇ１１０Ａが表示されているときに、ボタン１３０Ｂの短押操作があると、サブ表示部１１０Ｂにラジオ情報画像Ｇ１１２Ａが表示される。
【０１１６】
ラジオ情報画像Ｇ１１２Ａは、ラジオプログラムに基づいて行なわれるアプリケーション処理の終了時に再生されていたラジオ局の周波数情報を表示した画像である。
【０１１７】
次に、端末装置１０００が待機状態である場合に行なわれる処理（以下、待機状態時処理ともいう）について説明する。なお、待機状態時処理が行なわれるときには、前述のアプリケーション処理および前述の図５のアプリケーション終了処理は行なわれていない。
【０１１８】
図８は、待機状態時処理のフローチャートを示す。図８を参照して、ステップＳ２１０では、起動操作があったか否かが、制御部３４０により判定される。起動操作は、ボタン１３０Ｂの長押操作である。この場合、ボタン１３０Ｂは、起動手段として動作する。
【０１１９】
また、起動操作は、記憶部３３０に予め登録しておいたボイスデータに基づく音声と同等な言葉からなる音声を、ユーザがマイク２６０に対して発する操作であってもよい。この場合、マイク２６０、音声処理部３５０および制御部３４０は、起動手段として動作する。ステップＳ２１０において、ＹＥＳならば、ステップＳ２１２に進む。一方、ステップＳ２１０において、ＮＯならば、再度、ステップＳ２１０の処理が行なわれる。
【０１２０】
ステップＳ２１２では、制御部３４０が、記憶部３３０に記憶されている番地特定情報を読み出す。その後、ステップＳ２１４に進む。
【０１２１】
ステップＳ２１４では、制御部３４０が、読み出した番地特定情報により特定される記憶部３３０の番地に記憶されている終了時情報を読み出す。その後、ステップＳ２１６に進む。
【０１２２】
ステップＳ２１６では、制御部３４０が、読み出した終了時情報に基づいて、端末装置１０００のモード切替えを行なう。たとえば、読み出した終了時情報が、記憶部３３０の１００番地に記憶されている情報である場合、制御部３４０は、端末装置１０００を音楽モードに切替える。その後、ステップＳ２２０に進む。
【０１２３】
ステップＳ２２０では、情報画像生成処理が行なわれる。情報画像生成処理では、制御部３４０が、読み出した終了時情報に基づいた情報画像を生成する。たとえば、読み出した終了時情報が、記憶部３３０の１００番地に記憶されている情報である場合、制御部３４０は、情報画像として、図７の音楽情報画像Ｇ１１２を生成する。
【０１２４】
また、たとえば、読み出した終了時情報が、記憶部３３０の１１０番地に記憶されている情報である場合、制御部３４０は、情報画像として、図７のラジオ情報画像Ｇ１１２Ａを生成する。その後、ステップＳ２２２に進む。
【０１２５】
ステップＳ２２２では、情報画像表示処理が行なわれる。情報画像表示処理では、制御部３４０が、生成した情報画像（たとえば、ラジオ情報画像Ｇ１１２Ａ）を、サブ表示部１１０Ｂに表示させる（図７参照）。その後、ステップＳ２２４に進む。
【０１２６】
ステップＳ２２４では、制御部３４０が、読み出した終了時情報に基づいたアプリケーション処理が開始される。なお、アプリケーション処理は、待機状態時処理とは独立に並列して開始される。また、アプリケーション処理の開始と同時に、前述した図５のアプリケーション終了処理も開始される。
【０１２７】
読み出した終了時情報に基づくアプリケーション処理では、ステップＳ２２２の処理によりサブ表示部１１０Ｂに表示された情報画像に対応する処理が行なわれる。当該対応する処理は、たとえば、サブ表示部１１０Ｂに表示された情報画像が、音楽情報画像Ｇ１１２である場合、制御部３４０が、読み出した終了時情報に基づいて、音楽データの音声を、スピーカ１５２から出力させる。スピーカ１５２から出力される音声は、たとえば、音声データの先頭から２分３４秒の箇所から再生される音声である。すなわち、読み出した終了時情報に基づくアプリケーション処理は、終了時の状態を再現した処理となる。その後、この待機状態時処理は終了する。
【０１２８】
以上の処理により、メイン操作ボタン群が使用不可な待機状態においても、ユーザがボタン１３０Ｂを操作するだけで、待機状態になる直前のアプリケーション処理の終了時の状態を再現したアプリケーション処理を実行させることができる。また、メイン操作ボタン群が使用不可な待機状態においても、ユーザが登録した言葉をマイク２６０に対して発するだけで、待機状態になる直前のアプリケーション処理の終了時の状態を再現したアプリケーション処理を実行させることができる。すなわち、簡単な操作で、待機状態の端末装置１０００を、待機状態になる直前の状態に戻すことができる。
【０１２９】
したがって、簡単な操作で、複数のアプリケーションプログラムの中から、端末装置１０００が待機状態になる前に実行されていたアプリケーションプログラムによるアプリケーション処理の状態を再現したアプリケーション処理を素早く実行させることができる。すなわち、所望の処理を簡単な操作で素早く実行させることができる。
【０１３０】
次に、端末装置１０００が電源オフで、かつ、図２の状態である場合に行なわれる処理（以下、電源オフ時処理ともいう）について説明する。
【０１３１】
図９は、電源オフ時処理のフローチャートを示す。電源オフ時処理は、図８の待機状態時処理と比較して、ステップＳ２１１の処理がさらに行なわれる点が異なる。それ以外の処理は、待機状態時処理と同様なので詳細な説明は繰り返さない。図９を参照して、前述したステップＳ２１０において、ＹＥＳと判定されると、ステップＳ２１１に進む。
【０１３２】
ステップＳ２１１では、電源オン処理が行なわれる。電源オン処理では、制御部３４０が、端末装置１０００の電源をオンにする。そして、制御部３４０は、サブ表示部１１０Ｂに待機画像（たとえば、待機画像Ｇ１００）を表示させる。その後、ステップＳ２１２に進む。その後、前述したステップＳ２１２〜Ｓ２２４の処理が行なわれて、この電源オフ時処理は終了する。
【０１３３】
以上の処理により、メイン操作ボタン群が使用不可な電源オフ状態においても、ユーザがボタン１３０Ｂを操作するだけで、電源オフ状態になる直前のアプリケーション処理の終了時の状態を再現したアプリケーション処理を実行させることができる。また、メイン操作ボタン群が使用不可な電源オフ状態においても、ユーザが登録した言葉をマイク２６０に対して発するだけで、電源オフ状態になる直前のアプリケーション処理の終了時の状態を再現したアプリケーション処理を実行させることができる。すなわち、簡単な操作で、電源オフ状態の端末装置１０００を、電源オフ状態になる直前の状態に戻すことができる。
【０１３４】
したがって、簡単な操作で、複数のアプリケーションプログラムの中から、端末装置１０００が電源オフ状態になる前に実行されていたアプリケーションプログラムによるアプリケーション処理の状態を再現したアプリケーション処理を素早く実行させることができる。すなわち、所望の処理を簡単な操作で素早く実行させることができる。
【０１３５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１３６】
【図１】開いた状態の端末装置を正面から示した図である。
【図２】閉じた状態の端末装置の斜視図である。
【図３】閉じた状態の端末装置の背面図である。
【図４】端末装置の内部構成を示したブロック図である。
【図５】アプリケーション終了処理のフローチャートを示す。
【図６】複数の終了時情報から構成される終了時情報データテーブルを示す図である。
【図７】サブ表示部に表示される画像を示す図である。
【図８】待機状態時処理のフローチャートを示す。
【図９】電源オフ時処理のフローチャートを示す。
【符号の説明】
【０１３７】
１１０Ａ  メイン表示部、１１０Ｂ  サブ表示部、１３０Ｂ  ボタン、２６０  マイク、３３０  記憶部、３４０  制御部、１０００  端末装置。
【図１】
0004476198.tif 000002
【図２】
0004476198.tif 000003
【図３】
0004476198.tif 000004
【図４】
0004476198.tif 000005
【図５】
0004476198.tif 000006
【図６】
0004476198.tif 000007
【図７】
0004476198.tif 000008
【図８】
0004476198.tif 000009
【図９】
0004476198.tif 000010